(57)【特許請求の範囲】
【請求項１】
その端部にそれぞれ接触パッドが設けられた第１の導線のための１又はそれ以上の案内路が形成された第１の案内板を有する第１のコネクタ部分と、上記第１のコネクタ部分と結合されるべき第２のコネクタ部分であって、第１の導線と接続されるべくそれぞれの端部に接触パッドが形成された第２の導線に対応するように１又はそれ以上の案内路が形成された第２の案内板を有する光学的及び／又は電気的導線を接続するためのコネクタ装置であって、上記案内板は上記コネクタ部分の結合位置において案内板を相互に位置決めして第１と第２の導線の対応する接触パッドを光学的又は電気的にそれぞれ接続させるための位置決め手段を有し、上記位置決め手段はｘ方向に広がる平らな共働基準表面とｙ方向に広がる平らな共働基準表面を有し、これらの全ての基準表面は案内路に対して事前に設定された位置に配置され、上記第２の案内板は、ｘ，ｙ及びｚ方向に動けるように第２のコネクタ部分のハウジングの中に搭載され、コネクタ部分を結合するときに、共働基準表面と接触パッドを互いにｘ，ｙ及びｚ方向に押し付ける力を発生させる手段が設けられ、１つのコネクタ部分は案内路の長手方向に沿って他のコネクタ部分に挿入することができるようになっているコネクタ装置において、上記コネクタ部分を挿入するときに、導線の接触パッドを互いにｚ方向において一定の間隔に保つための間隔形成部材が設けられ、共働する基準表面が実質的に接触すると直ちに接触パッドが互いに向けてｚ方向に移動することができるようになっていることを特徴とするコネクタ装置。
【請求項２】
上記１つのコネクタ部分の間隔形成部材は、案内路の長手方向に連続し、対応するコネクタ部分の接触パッドの上側に突出する２つのボス部のセットを有し、他のコネクタ部分は、それぞれのボス部に対して補完的な形状を持ち、上記接触パッドの表面に対して凹んだ２つの凹所からなる少なくとも１つのセットを有することを特徴とする請求項１に記載のコネクタ装置。
【請求項３】
案内路の両側にそれぞれ２つのボス部及び凹所のセットが設けられていることを特徴とする請求項２に記載のコネクタ装置。
【請求項４】
挿入側に近いボス部が、挿入側に近い凹所と適合しない形状を有することを特徴とする請求項２又は３に記載のコネクタ装置。
【請求項５】
上記凹所が傾斜表面を通して接触パッドの表面と挿入側において連絡していることを特徴とする請求項２，３又は４に記載のコネクタ装置。
【請求項６】
上記力発生手段が第２の案内板の上に形成された表面を有し、この表面はｘ，ｙ及びｚ方向に対して４５度の角度をなし、上記表面に対してこれらの１つの方向に力を及ぼすためのばね手段が設けられていることを特徴とする請求項１ないし５のいずれかに記載のコネクタ装置。
【請求項７】
ピンがｙ方向に沿ってハウジングに摺動可能に搭載され、このピンはその一端において第２の案内板の傾斜した表面に係合し、他端はばねにより負荷が掛けられていることを特徴とする請求項６に記載のコネクタ装置。
【請求項８】
ピンの上記一端が滑らかでかつ丸められ、案内板の傾斜表面も好ましくは滑らかにされていることを特徴とする請求項７に記載のコネクタ装置。
【請求項９】
上記第２のコネクタ部分のハウジングには、対応する導線の接触パッドが覆われるような保護位置と、接触パッドが自由に接近しうるような接近位置との間で摺動可能な保護用キャップが設けられていることを特徴とする請求項１ないし８のいずれかに記載のコネクタ装置。
【請求項１０】
上記第１のコネクタ部分も、第２のハウジングの保護キャップのためのストッパが設けられたハウジングを有し、上記ストッパは、第２のコネクタ部分を挿入するときに保護キャップを保護位置から接近位置まで動かすことを特徴とする請求項９に記載のコネクタ装置。
【請求項１１】
上記第１のコネクタ部分のハウジングはプリント回路基板の端縁部に搭載され、上記第２のコネクタ部分のハウジングは平坦な光学的及び／又は電気的ケーブルを収容するようになっていることを特徴とする請求項１０に記載のコネクタ装置。
【請求項１２】
上記第２のコネクタ部分のハウジングは、後部パネル又は枠に搭載されるようになっていることを特徴とする請求項１１に記載のコネクタ装置。
【発明の詳細な説明】
【０００１】
【産業上の利用分野】
この発明は、先にされたオランダ特許出願第９２００８８４号に記載されたタイプの光学的又は電気的導線を接続するためのコネクタ装置に関する。
【０００２】
【発明が解決しようとする課題】
この発明は、一方では、平坦なケーブルをプリント回路基板やそれに類するものに接続するために特に好適な、そして他方では、適当な実施例において、後部パネルを有するようなプリント回路基板を接続するにも好適なコネクタ装置を提供することを目的としている。
【０００３】
【課題を解決するための手段とその作用】
この目的のために、クレーム１の前提部分に記載されたコネクタ装置は、この発明によって、クレーム１の特徴部分により特徴付けられている。
このような方法によって、コネクタ部分を結合するときに導線の接触パッドが互いに接触することがなく、それによって接触パッドが破損する虞が無いようなコネクタ装置が得られる。
この発明のコネクタ装置の簡単な構造は、クレーム６の特徴部分に記載された特徴によって得られる。
【０００４】
【実施例】
この発明のコネクタ装置の２つの実施例が模式的に示される図面を参照しつつ、この発明をさらに説明する。
図面を参照すると、光学的及び／又は電気的導線の間を接続する接続装置が示されており、この接続装置は、第１の部分１と第２の部分２を有している。第１の部分１は、第１の導線のための複数の互いに接近する案内路４を有する第１の案内板３を有しており、第１の導線は図面を分りやすくするために省いてある。これらの第１の導線はプリント回路基板の中に埋め込まれ、この基板には第１の案内板３もまた埋め込まれている。それぞれの導線は案内路４の中に配置され、それによって導線の位置が案内路４によって決定されるようになっている。これらの案内路４は案内板３の主表面に対して徐々に傾斜しており、それによって、導線の端部がこの主表面に向けて案内されるようになっている。図示されている実施例においては、案内板３の主表面はプリント回路基板５の主表面と一致している。もし望まれる場合には、案内板３を凹所に嵌合させて、その主表面をプリント回路基板５の中に埋め込むようにすることもできる。プリント回路基板５から突出する導線の部分は研磨されており、それによってプリント回路基板５の表面と同一面に導線の接触パッドが有るようにされている。
【０００５】
コネクタ部分１にはさらに、図１に示すような方法でプリント回路基板５の一端部に取り付けられ、それによって導線の接触パッドによって案内板３を取り囲んでいるハウジング６が設けられている。ハウジング６の肩部７はプリント回路基板５の端縁部に接触している。
第２のコネクタ部分２はハウジング８を有しており、図２に分解図によって示されている。ハウジング８は支持部９を有しており、これには、案内板１１を有する支持板１０が互いに直交する３つのｘ，ｙ及びｚの方向に移動可能に搭載されている。このｘ，ｙ，ｚの各方向は、図２に矢印で示されている。この目的のために支持部９には案内用の溝１２が形成されており、この中に支持板１０がその案内端部１３を、支持板が必要とする動きの自由度を確保するための充分な遊びを持って突出させている。案内板１１を有する支持板１０は、図４，５において、２つの反対側の方向から拡大して示されている。
【０００６】
案内板１１には、案内板３と同じように、図２に模式的に示される光学的又は電気的導線１４の平坦なケーブル１５のための案内路４が形成されている。案内路４の中の導線１４は、案内板１１の主表面に徐々に導かれるようになっており、この案内板１１の主表面の上側に突出する部分は研磨されており、それによって案内板１１の主表面と同一面上に接触パッドが形成されている。案内板１１の主表面は、図４に見られるように、支持板１０の表面の少し上になるように設定されている。
【０００７】
コネクタ部分１と２を互いに結合させるために、コネクタ部分２は、コネクタ部分１のハウジング１の中に挿入されるが、ｘ，ｙ，ｚ方向における動きの自由度があるので、対応する導線の接触パッドが互いに接続されるように、案内板１１を案内板３に対して正しい位置にもっていくことができる。案内板３，１１を互いに位置決めするために、これらの案内板にはｘ及びｙ方向に広がる平らな基準表面として形成された位置決め手段が設けられている。これらの位置決め手段のさらなる説明は、上述したオランダ特許出願第９２００８８４号に記載されている。
コネクタ部分１の案内板３には、一体として形成され、平らな基準表面１７，４８を有し、案内路４に対して、従って、対応する導線の接触パッドに対してそれぞれｙ及びｘ方向に正確に位置決めされて配置されたラグ１６が設けられている。コネクタ部分２の案内板１１には、案内板１１の案内路４に対してそれぞれｙ及びｘ方向に正しく位置決めされて配置された基準表面１９，２０が設けられている。コネクタ部分１と２を結合させるときに、基準表面１７，１９及び１８，２０をそれぞれ互いに押し付けることによって、対応する導線１４の接触パッドを有する案内板１１は、図示されていない対応する導線の接触パッドをもつ案内板３に対して正確に位置決めされる。
【０００８】
図示されているコネクタにおいては、コネクタ部分２には、互いに共働する基準表面１７，１９及び１８，２０を互いに向けてｘ及びｙ方向に押し付け、そしてまた、接触パッドつまり案内板３及び１１をｚ方向に向けて互いに押し付ける力を発生させるための手段が設けられている。これらの手段は、案内板１１の上に形成され、そして好ましくは、図示された実施例のようにｘ，ｙ，ｚ方向との間に４５度の角度をなす面を有している。この表面２１は、好ましくは滑らかに研磨されている。ハウジング８の支持部９にはｙ方向に摺動可能にピン２２が搭載されている。このピン２２は、ハウジング８の収容部分２５の部屋２４に収容された頭部２３を有している。この収容部分２５は、フック２６が支持部９の側壁に形成された凹所２７の中に係合するようになっている。ばね２８が部屋２４の中に搭載され、ピン２２の頭部２３と係合するようにしている。ピン２２の滑らかに丸められた端部２９は、傾斜表面２１と係合する。それによって、ばね２８によってピン２２に及ぼされる力は、表面２１によってｘ，ｙ，ｚ方向に分配される。図２に示されているように、歪除去手段３０が収容部分２５に搭載されている。この歪除去手段は、その縁部を収容部分２５の溝３２の中に突出させ、その他端には２つの係止用ラグ３３が設けられ、このうちの１つのみが図２に示されている。これらの係止用ラグ３３は、収容部分２５の舌部３４の下側に係合する。それによって、歪除去手段３３はケーブル１５を収容部分２５にクランプする。
【０００９】
ハウジング８には、さらに支持部９と収容部分２５に摺動可能に搭載された保護、被覆用キャップ３５が設けられている。このために、支持部９と収容部分２５には案内部３６が設けられ、キャップ３５は対応する案内部３７によってこれらの案内部３６に係合している。保護用キャップ３５は、対応する導線１４の接触パッドを覆う保護位置と、接触パッドが自由に動けるアクセス位置との間で摺動可能となっている。保護用キャップ３５は、コネクタ部分１と２を結合するときに保護位置からアクセス位置まで移動され、そしてストッパとして作用するハウジング６の壁３８に当接する。
【００１０】
コネクタ部分１のハウジング６には、案内板３の案内路４の両側に間隔形成部材３９，４０が設けられている。これらの間隔形成部材３９，４０は案内路４の長手方向に順次配置されたボス部からなり、これらのボス部はそれぞれ、案内板３の接触パッドの表面と案内板の主表面の上に、案内板１１が支持板１０から突出する長さよりも大きな長さだけ突出している。案内板１１の支持板１０には、同様に案内板１１の案内路４の両側に配置され、それぞれボス部３９，４０を補完する形状の凹所４１，４２が設けられている。コネクタ部分２の挿入側においては、凹所４１，４２が傾斜した表面４３を通して支持板１０の主表面につながっている。ボス部３９，４０及び凹所４１，４２の形状は、それぞれ挿入側に近い凹所４１が挿入側に近いボス部４０を通過させるように形成されている。このような態様によって、コネクタ部分１をコネクタ部分２に挿入するときに、導線の接触パッドがｚ方向において互いに一定の間隔を置くようになる。互いに共働する基準表面１７，１９及び１８，２０がそれぞれほぼ向合った位置にあるとき、ボス部３９，４０が凹所４１，４２の中に収容されることによって案内板１１がｚ方向に動くことができ、傾斜表面４３はこれらを徐々の動かすようにする。それによって、接触パッドが互いの上を滑って損傷することを効率的に防止する。
【００１１】
コネクタ部分１には、係止フック４４が設けられており、これのうちの１つのみが図１に示され、これはハウジング８の後面４５に係止される。図示されている実施例においては、コネクタ部分１はさらにハウジングハーフ４６を有しており、これは従来型の電気的なコネクタ部分として形成され、これには、図示されていない接触ピンが通常の方法で設けられている。
図示されているコネクタ部分２の実施例においては、収容部分２５のフック２６が凹所２７の中に突出しており、この凹所は支持部９に対して収容部分２５がｙ方向に移動するいくらかの自由を与えている。それによって中間の空間４７が収容部分２５と支持部９の間に存在することになる。しかしながら、凹所２７を適当に設計することにより、中間の空間４７を設けることなく、収容部分２５を支持部９と結合させることもできる。
【００１２】
図６は、上で説明したコネクタ構造体の実施例を示すもので、ここでは、収容部分２５は、このような中間空間部４７のない状態で支持部９に結合されている。この実施例においては、２つのコネクタ部分２が１つのコネクタ部分１と共働している。この場合には、コネクタ部分２が後部パネル４８又は枠に適当な方法で搭載され、この後部パネル又は枠の後面には光学的又は電気的な導線(図示されていない)が案内されている。凹所４９によって模式的に示されているように、コネクタ部分２の複数の列を、後部パネル４８の上に隣接して搭載することができる。残りの部分は上述したコネクタ部分２と同じである。
【００１３】
この発明は上述した実施例に限定されるものではなく、特許請求の範囲の視野の中で種々の変更が可能である。
【図面の簡単な説明】
【図１】この発明のコネクタ装置の第１の実施例の斜視図であり、ここにおいてはコネクタ部分の接続が外され、そして、第１のコネクタ部分が部分的に破断されて示されている。
【図２】第２のコネクタ部分の破断した斜視図である。
【図３】図２のＩＩＩ−ＩＩＩ面に沿った断面図である。
【図４】図２のコネクタ部分の一部を拡大して示す図である。
【図５】図２のコネクタ部分の図４と反対の側を拡大して示す図である。
【図６】この発明のコネクタ装置の第２の実施例の斜視図である。
【符号の説明】
１  第１のコネクタ部分
２  第２のコネクタ部分
３，１１  案内板
４  案内路
８  ハウジング
９  支持部
１０  支持板
１７，１８，１９，２０  基準表面
２１  傾斜表面
２５  収容部分
３３  歪除去手段
３９，４０  ボス部
４１，４２  凹所
【図１】
0003545023.tif 000002
【図２】
0003545023.tif 000003
【図３】
0003545023.tif 000004
【図４】
0003545023.tif 000005
【図５】
0003545023.tif 000006
【図６】
0003545023.tif 000007